(57)【要約】  高効率リパーゼ酵素類、並びに１０重量％未満のゼオライト及びホスフェートビルダーを含む特定の洗剤処方を含有する洗剤組成物が記載されている。好ましい処方は、アルキルエトキシル化サルフェート類又はＭＥＳ又は非イオン性界面活性剤と組み合わされるアルキルベンゼンスルホネート類から選択される界面活性剤を含む。【特許請求の範囲】
【請求項１】
（ａ）フミコラ・ラヌギノサ（Humicola lanuginosa）菌株ＤＳＭ４１０９由来の野生型リパーゼとの同一性が少なくとも９０％であり、（ｂ）前記野生型リパーゼと比較した場合に、Ｅ１若しくはＱ２４９から１５オングストローム以内の三次元構造表面における電気的に中性の若しくは負に荷電したアミノ酸の正に荷電したアミノ酸による置換を含み、（ｃ）Ｃ末端においてペプチド添加を含み、及び／又は（ｄ）Ｎ末端においてペプチド添加を含み、及び／又は（ｅ）次の制限を満たすアミノ酸配列を有するポリペプチドであるリパーゼ（ｉ）前記野生型リパーゼのＥ２１０の位置に負のアミノ酸を含む；（ｉｉ）前記野生型リパーゼの９０〜１０１の位置に対応する領域に負に荷電したアミノ酸を含む；及び（ｉｉｉ）前記野生型リパーゼのＮ９４に対応する位置に中性若しくは負のアミノ酸を含み、及び／又は前記野生型の９０〜１０１の位置に対応する領域に負若しくは中性の正味の電荷を有する、を含む洗剤組成物であって；１０重量％以下のアルミノシリケート（無水ベース）及び／又はホスフェートビルダーを含み；４超の予備アルカリ度を有する洗剤組成物。
【請求項２】
８重量％未満のアルミノシリケート及び／又はホスフェートビルダーを含む、請求項１に記載の洗剤組成物。
【請求項３】
５重量％未満のアルミノシリケート（無水ベース）及び／又はホスフェートを含む、請求項１に記載の洗剤組成物。
【請求項４】
７．５超の予備アルカリ度を有する、請求項１〜３のいずれか１項に記載の洗剤組成物。
【請求項５】
０．１〜４０重量％のアルコキシル化アルキルサルフェート界面活性剤及び／又は０．１〜４０重量％のＣ１〜４アルキルエステルスルホネート、好ましくはメチルエステルスルホネート（ＭＥＳ）を含む、請求項１〜４のいずれか１項に記載の洗剤組成物。
【請求項６】
泡促進剤を、０．０５〜２重量％の量で、好ましくは脂肪酸アミド類、脂肪酸アルカノールアミド類、ベタイン類、スルホベタイン類及びアミンオキシド類又はこれらの混合物から選択される泡促進剤を０．０５〜２重量％の量で含む、請求項１〜５のいずれか１項に記載の洗剤組成物。
【請求項７】
０．０５〜５、好ましくは０．１〜１重量％の汚れ遊離ポリマー、好ましくはメチルヒドロキシエチルセルロース（ＭＨＥＣ）といった変性セルロースエーテル若しくはポリエステルベースの汚れ遊離ポリマー又はこれらの混合物から選択される汚れ遊離ポリマー、を含む、請求項１〜６のいずれか１項に記載の洗剤組成物。
【請求項８】
固体、好ましくは粒状の洗剤組成物である、請求項１〜７のいずれか１項に記載の洗剤組成物。
【請求項９】
請求項１〜８のいずれか１項に記載の洗剤組成物を含む水溶液中で、繊維物品を洗濯することを含む洗浄方法。
【請求項１０】
前記水溶液が３０℃未満の温度である、請求項１０に記載の洗浄方法。
【発明の詳細な説明】
【技術分野】
【０００１】
本発明は、洗濯洗剤組成物及び特に脂肪分解酵素又はリパーゼ酵素を含む洗剤に関する。
【背景技術及び従来技術】
【０００２】
油汚れの除去を改善することは、洗濯洗剤メーカーにとって変わらぬ目標である。多くの効果的な界面活性剤及び界面活性剤の組み合わせの使用にもかかわらず、特に低い水温で使用した場合には、多くの界面活性剤ベースの製品では、依然としてグリース状／油状の汚れを完全に除去することはできない。油性汚れをトリグリセリド類へ分解することによって油性汚れを除去するために、１９８０年代後半から、リパーゼ酵素類が洗剤に使用されてきた。
【０００３】
比較的最近まで、主な市販のリパーゼ酵素類（例えば、リポラーゼ（Lipolase）（商標名ノボザイムズ（Novozymes）））が、洗浄工程の乾燥段階でのより低い水分レベルにて、特に効果的に機能した。酵素の活性部位が、洗浄プロセス中に水に占有され、これによって乾燥工程中の洗濯した衣服に残った汚れ上でのみ脂肪の分解が顕著となり、この分解された脂肪が次の洗浄工程で除去されるので、これらの酵素類は、第２洗浄工程でのみ顕著な洗浄を生み出す傾向がある。しかし、最近になって、洗浄プロセスの洗浄段階中においても効率的に機能する、より効率的なリパーゼ類が開発された。これによって第２洗浄工程での洗浄と同様に、第１洗浄サイクルに、リパーゼ酵素に起因する洗浄の顕著な改善を見出すことができる。こうした酵素の例は、ＰＣＴ国際公開特許ＷＯ００／６００６３及び技術公開ＩＰ６５５３Ｄに記載されているとおりである。このような酵素類は、以下で一次洗浄リパーゼと呼ばれる。こうした酵素の例としては、三次元構造体のＮ末端近辺に正に帯電したアミノ酸を有する１つ以上の置換を含む、ある種のリポラーゼ変異型（野生型フミコラ・ラヌギノサ（Humicola lanuginosa））が挙げられる。前記変異型は更に、Ｃ末端でのペプチド添加を含み並びに／又は９０〜１０１及び２１０の位置にある帯電したアミノ酸に対するある種の制限を満足させるものでなければならない。
【発明の開示】
【発明が解決しようとする課題】
【０００４】
本発明者らが直面する問題は、この新世代酵素の性能をいかに最大化させるかというものであった。本発明者らは、このような酵素類を、現在の洗剤処方によって現在のリパーゼ酵素類を新世代酵素によって単に置き換えるという処方によって小さな効果を得ることができるが、前記洗剤組成物を異なった方法で処方し、且ついくつかの通常洗剤成分の濃度を減らすことによって、性能を顕著に向上させることができることを見出した。
【０００５】
本発明の定義
本発明によれば、（ａ）フミコラ・ラヌギノサ（Humicola lanuginosa）菌株ＤＳＭ４１０９由来の野生型リパーゼとの同一性が少なくとも９０％であり、（ｂ）前記野生型リパーゼと比較した場合に、Ｅ１若しくはＱ２４９から１５オングストローム以内の三次元構造表面における電気的に中性の若しくは負に荷電したアミノ酸の正に荷電したアミノ酸による置換を含み、（ｃ）Ｃ末端においてペプチド添加を含み、及び／又は（ｄ）Ｎ末端においてペプチド添加を含み、及び／又は（ｅ）次の制限を満たすアミノ酸配列を有するポリペプチドであるリパーゼ（ｉ）前記野生型リパーゼのＥ２１０の位置に負のアミノ酸を含む；（ｉｉ）前記野生型リパーゼの９０〜１０１の位置に対応する領域に負に荷電したアミノ酸を含む；及び（ｉｉｉ）前記野生型リパーゼのＮ９４に対応する位置に中性若しくは負のアミノ酸を含み、及び／又は前記野生型の９０〜１０１の位置に対応する領域に負若しくは中性の正味の電荷を有する、を含む洗剤組成物であって；１０重量％未満のアルミノシリケート（無水ベース）及び１０重量％未満のホスフェートビルダーを含み；４超の予備アルカリ度を有する洗剤組成物が、提供される。
【０００６】
本発明によれば、下記のラード一次洗浄試験並びに１０重量％未満のアルミノシリケートビルダー及び１０重量％未満のホスフェートビルダーを含む洗剤組成物、４超の予備アルカリ度を有する前記組成物を使用して、ＷＴリポラーゼ（Lipolase）（ノボザイムズ社（Novozymes）の商標名）によって得られるものより良好な一次洗浄ラード除去性能を生じるリパーゼ酵素を含む洗剤組成物が提供される。ノボザイムズ社からのＷＴリポラーゼは、米国特許第５８６９４３８号（ｓｅｑ＃２）に記載されている。
【０００７】
本発明の好ましい態様では、本発明の洗剤組成物は、アルミノシリケート（ゼオライト）ビルダー及び／又はホスフェートビルダーから選択されるビルダー類を１０重量％未満含む。本発明の更に好ましい態様では、前記組成物は、８重量％未満又は４重量％未満のゼオライト及び８重量％未満又は４重量％未満のホスフェートビルダーを含む。
【０００８】
本発明者らは、一次洗浄リパーゼを少量のホスフェート及びゼオライトビルダーと共に使用した場合に、通常の量のビルダーと共にリパーゼを配合した場合と比較して、グリース除去メリットが劇的に改善されることを見出した。理論に束縛されるものではないが、これはリパーゼ活性を促進させる二価のカチオン類の存在によって、（ｉ）酵素の布地表面への付着が増加すること、及び／又は（ｉｉ）脂肪分解酵素プロセスに起因する不溶性脂肪酸塩類の沈殿が促進されること、によって生じるものと思量される。
【課題を解決するための手段】
【０００９】
ビルダーを減らすこと又は廃止することで、例えば、粒子状又は飲料の汚れに対する染み除去の著しい問題点が増大することも予想されたが、前記組成物が、予想外に良好な性能を示すことを見い出した。理論に束縛されるものではないが、これは油性汚れの脂肪分解中にリパーゼによって遊離された脂肪酸が、（ｉ）硬度封鎖効果（hardness sequestration effect）によってこれらの汚れを不安定化すること、及び（ｉｉ）洗浄ｐＨをわずかに減少させて、ｐＨに敏感な汚れを増白させることをもたらすことによるものと思量される。
【発明を実施するための最良の形態】
【００１０】
リパーゼ酵素
本発明で使用された参照リパーゼは、フミコラ・ラヌギノサ（Humicola lanuginosa）菌株ＤＳＭ４１０９由来の野生型リパーゼである。これは、欧州特許第２５８０６８号及び同第３０５２１６号に記載されており、米国特許第５８６９４３８号（添付）の配列ＩＤ番号２の１〜２６９の位置に示されるアミノ酸配列を有する。本明細書では、前記参照リパーゼはリポラーゼとも呼ばれる。
【００１１】
正に帯電したアミノ酸による置換
本発明のリパーゼは、１つ以上の（例えば、２〜４個、特に２個）、正に荷電したアミノ酸（好ましくはＲ）を有するＥ１又はＱ２４９近傍の、電気的に中性又は負に荷電したアミノ酸の置換を含む。
【００１２】
前記置換は、Ｅ１又はＱ２４９から１５オングストローム以内の三次元構造表面、例えば１〜１１、９０、９５、１６９、１７１〜１７５、１９２〜２１１、２１３〜２２６、２２８〜２５８、２６０〜２６２の任意の位置である。
【００１３】
前記置換は、Ｅ１又はＱ２４９から１０オングストローム以内、例えば１〜７、１０、１７５、１９５、１９７〜２０２、２０４〜２０６、２０９、２１５、２１９〜２２４、２３０〜２３９、２４２〜２５４の任意の位置でもよい。
【００１４】
前記置換は、Ｅ１から１５オングストローム以内、例えば１〜１１、１６９、１７１、１９２〜１９９、２１７〜２２５、２２８〜２４０、２４３〜２４７、２４９、２６１〜２６２の任意の位置でもよい。
【００１５】
前記置換は、最も好ましくはＥ１から１０オングストローム以内、例えば１〜７、１０、２１９〜２２４及び２３０〜２３９の任意の位置である。
【００１６】
従って、いくつかの好ましい置換は、Ｓ３Ｒ、Ｓ２２４Ｒ、Ｐ２２９Ｒ、Ｔ２３１Ｒ、Ｎ２３３Ｒ、Ｄ２３４Ｒ及びＴ２４４Ｒである。
【００１７】
Ｃ末端でのペプチド添加
前記リパーゼは、Ｃ末端Ｌ２６９へ結合するペプチド添加を含んでよい。前記ペプチド添加は、各種洗剤の一次洗浄性能を改善する。
【００１８】
前記ペプチド添加は、好ましくは１〜５個のアミノ酸、例えば２、３又は４個のアミノ酸から成る。前記ペプチド添加のアミノ酸は、２７０、２７１等の番号を付けられる。
【００１９】
前記ペプチド添加は、電気的に中性の（例えば、疎水性の）アミノ酸、例えばＰＧＬ又はＰＧから構成することができる。他の実施例では、前記リパーゼペプチド添加は、中性の（例えば、疎水性の）アミノ酸及びアミノ酸Ｃから成り、前記リパーゼは、ペプチド添加のＣとジスルフィド架橋を形成するように好適な位置でアミノ酸をＣで置換することを含む。実施例には、以下のものがある：
Ｇ２３Ｃ又はＴ３７Ｃに結合した２７０Ｃ
Ｋ２４Ｃ、Ｔ３７Ｃ、Ｎ２６Ｃ又はＲ８１Ｃに結合した２７１Ｃ
Ｄ２７Ｃ、Ｔ３５Ｃ、Ｅ５６Ｃ、Ｔ６４Ｃ又はＲ８１Ｃに結合した２７２Ｃ
位置９０〜１０１及び２１０のアミノ酸
【００２０】
本発明で使用されるリパーゼは、好ましくは位置９０〜１０１及び２１０にある帯電したアミノ酸のある種の制限を満足させる。このため、アミノ酸２１０は負に帯電していてもよい。Ｅ２１０は、不変でもよいし、又はそれは置換Ｅ２１０Ｄ／Ｃ／Ｙ、特にＥ２１０Ｄを有してもよい。
【００２１】
前記リパーゼは、９０〜１０１（特に、９４〜１０１）の任意の位置、例えばＤ９６及び／又はＥ９９の位置に、負に荷電したアミノ酸を含んでよい。
【００２２】
更に、前記リパーゼは、Ｎ９４の位置、即ちＮ９４（中性又は負に帯電）、例えばＮ９４Ｎ／Ｄ／Ｅに、中性又は負に帯電したアミノ酸を含んでよい。
【００２３】
また、前記リパーゼは、負に帯電した又は中性の正味の電荷（即ち、負に帯電したアミノ酸の数が正に荷電したアミノ酸の数以上である）を９０〜１０１の領域（特に、９４〜１０１）に有してもよい。このため、前記領域はリポラーゼ（２個の負に帯電したアミノ酸（Ｄ９６及びＥ９９）及び１個の正に帯電したもの（Ｋ９８）を有し、１個の電気的に中性のアミノ酸（Ｎ９４）を位置９４に有する）と変わらなくてもよいし、又は前記領域が１つ以上の置換によって変性されていてもよい。
【００２４】
あるいは、３個のアミノ酸（Ｎ９４、Ｎ９６及びＥ９９）のうちの２個が、負又は不変の電荷を有していてもよい。このため、３個全てのアミノ酸が不変でもよいし、又は同類若しくは負の置換（即ち、Ｎ９４（中性又は負）、Ｄ（負）及びＥ９９（負））によって変化させられてもよい。例として、Ｎ９４Ｄ／Ｅ及びＤ９６Ｅがある。また、電荷を増やすように、３個（即ち、Ｎ９４（正）、Ｄ９６（中性又は正）又はＥ９９（中性又は正））のうち１個が置換されていてもよい。例として、Ｎ９４Ｋ／Ｒ、Ｄ９６Ｉ／Ｌ／Ｎ／Ｓ／Ｗ又はＥ９９Ｎ／Ｑ／Ｋ／Ｒ／Ｈがある。
【００２５】
ＰＣＴ国際公開特許ＷＯ００／６００６３で議論されているように、中性のアミノ酸を負のアミノ酸（Ｎ９４Ｄ／Ｅ）で置換することは、アニオン性洗剤の性能を改善することがある。電気的に中性のアミノ酸を正に帯電したアミノ酸（Ｎ９４Ｋ／Ｒ）で置換することで、アニオン性洗剤及びアニオン性／非イオン性洗剤（全界面活性剤のうち、例えば４０〜７０％のアニオン性を有する洗剤）の両方において良好な性能を有する変異型リパーゼを提供できることがある。置換Ｑ２４９Ｒ／Ｋ／Ｈ及び／又はＲ２０９を電気的に中性の又は負に帯電したアミノ酸（例えば、Ｒ２０９Ｐ／Ｓ）で置換することが、有用であり得る。前記リパーゼは、置換Ｇ９１Ａを任意に含んでもよい。
【００２６】
前記リパーゼは、１つ以上の追加のアミノ酸の置換を任意に含んでもよい。このような置換は、例えば、当該技術分野において既知の原則（例えば、ＰＣＴ国際公開特許ＷＯ９２／０５２４９、同ＷＯ９４／２５５７７、同ＷＯ９５／２２６１５、同ＷＯ９７／０４０７９及び同ＷＯ９７／０７２０２に記載されている置換）によって行われてもよい。好適な置換の組み合わせの具体例は、ＰＣＴ国際公開特許ＷＯ００／６００６３の４頁及び５頁を跨る表に与えられている。アミノ酸修飾の命名法は、ＰＣＴ国際公開特許ＷＯ００／６００６３に記載のとおりである。
【００２７】
好ましいリパーゼ酵素類は、ＰＣＴ国際公開特許ＷＯ００／６００６３に開示され、最も好ましいのは、突然変異Ｔ２３１Ｒ及びＮ２３３Ｒを含むフミコラ・ラヌギノサ（Humicola lanuginosa）（サーモミセス・ラヌギノサス（Thermomyces lanuginosus））リパーゼ（ノボザイムズ（Novozymes）のリポラーゼ（Lipolase）（登録商標））の変異型であるＬＩＰＥＸ（ノボザイムズ（Novozymes）の登録商標）である。
【００２８】
本発明の洗剤組成物に組み込まれるリパーゼ酵素は、一般に洗剤組成物の１０〜２００００ＬＵ／ｇ、又は更に１００〜１００００ＬＵ／ｇの量で存在する。リパーゼ活性に関するＬＵ単位は、ＰＣＴ国際公開特許ＷＯ９９／４２５６６にて定義される。洗浄溶液中のリパーゼ用量は、典型的には活性リパーゼタンパク質として０．０１〜５ｍｇ／Ｌ、より典型的には酵素タンパク質として０．１〜２ｍｇ／Ｌである。洗剤組成物中の前記酵素タンパク質の重量百分率としては、一般に、０．００００１〜２重量％、より一般的には０．０００１〜１重量％、又は更に０．００１〜０．５重量％である。
【００２９】
リパーゼ酵素は、任意の都合のよい形態、一般にはダスティングされていない粒状形態、安定化された液体又は保護された、例えばコーティングされた酵素粒子の形態で洗剤組成物に組み込まれてもよい。
【００３０】
ラード一次洗浄試験
任意の特定のリパーゼ酵素が、ＷＴリポラーゼ（ノボザイムズ社（Novozymes）より。米国特許第５８６９４３８号、ｓｅｑ＃２に記載されている）よりも良好な一次洗浄ラード除去性能を与えるか否は、ＷＴリポラーゼの性能結果を特定のリパーゼ酵素と、次の試験に従って比較することによって決定することができる。
【００３１】
脂肪分解酵素の洗浄性能は、温度自動調節器付きの撹拌式洗浄力試験機（TOM）にて、ライン乾燥に引き続いて実施される１回のサイクルの洗浄トライアルで試験される。実験条件は、次のようなものである。
洗浄溶液：ビーカー当たり１０００ｍＬ
材料見本：ビーカーごとに７枚のフラットな綿の材料見本（９×９ｃｍ）（ワーウィック−イクエスト（Warwick-Equest）により供給）
汚れ：スダン・レッド染料で赤く着色したラード（シグマ）（ラード１ｇ当たり０．７５ｍｇのスダン・レッド）。７０℃まで加熱した５０μＬのラード／スダン・レッドを、各材料見本の中心に適用する。前記汚れを適用後、前記材料見本をオーブンで２０分間、７５℃で加熱し、次に室温にて一晩保存する。
洗浄溶液を調製するための水：３．２ｍＭ  Ｃａ２＋／Ｍｇ２＋（５：１の比で）
洗剤：５ｇ／Ｌの洗剤組成物Ａ。
洗剤組成物Ａ：
０．３００ｇ／Ｌのアルキルサルフェート（ＡＳ；Ｃ１４〜１６）
０．６５０ｇ／Ｌのアルコールエトキシレート（ＡＥＯ；Ｃ１２〜１４、６ＥＯ）
１．７５０ｇ／ＬのゼオライトＰ
０．１４５ｇ／ＬのＮａ２ＣＯ３
０．０２０ｇ／Ｌのソカラン（Sokalan）ＣＰ５（ＢＡＳＦ）
０．０５０ｇ／ＬのＣＭＣ（カルボキシメチルセルロース）
５ｇ／Ｌの洗剤組成物Ａを、追加した硬度（３．２ｍＭ  Ｃａ２＋／Ｍｇ２＋（５：１））及びＮａＯＨを添加することによりｐＨ１０．２へ人工的に調整したｐＨとを有する脱イオン水中へ混合した。リパーゼ酵素を添加する。
脂肪分解酵素の濃度：０及び１２５００ＬＵ／Ｌ
洗浄時間：２０分
洗浄温度：３０℃
すすぎ洗い：水道水を流しながら１５分間
乾燥：室内条件で一晩（約２０℃、３０〜４０％ＲＨ）。
評価：反射率は、４６０ｎｍにて測定した。
【００３２】
除去されたラードの百分率は、次のように決定される：
デルタ反射率（ｄＲ）は、次のように定義される：
（Ｒ（リパーゼを有する洗剤で洗浄した材料見本）−Ｒ（リパーゼを有しない洗剤で洗浄した材料見本）
反射率（レミッションという言葉が使用されることもある）は、２個のキセノン電撃ランプで試料を照らし、反射光の量を測定する（完全な白が１００％反射率に相当し、完全な黒が０％反射率に相当するようにする）エルレホ（Elrepho）２０００装置（データカラー社（Datacolor）製）によって測定する。酵素の存在によるラード除去の結果を比較すると、ＷＴリポラーゼ（登録商標）よりも良好な性能を与えたリパーゼ酵素類が、本発明の組成物にて用いるのに好適である。
【００３３】
ビルダー類
市販の洗濯洗剤は、強力な無機ビルダー（典型的には、トリポリリン酸ナトリウム（ＳＴＰＰ）であるホスフェートビルダー、又は典型的には、アルミノケイ酸ナトリウムビルダーであるゼオライトのいずれかで、圧倒的に強力なビルダーとして使用される）を含む。一般に、このような強力なビルダー類は、例えば１５〜２０重量％又は更にそれ以上、例えば４０重量％以下の比較的高濃度で存在する。本発明によれば、ホスフェート及び／又はゼオライトビルダーから選択される強力なビルダーの量は、洗剤組成物の総重量に対して１０重量％以下、好ましくは８重量％未満、又は５若しくは４若しくは３若しくは２若しくは１重量％である。
【００３４】
従って、本発明の組成物は、０重量％〜１０重量％のゼオライトビルダー、０重量％〜１０重量％のホスフェートビルダー、ホスフェート及び／又はゼオライトの総量で１０重量％以下（及び好ましくは上述のとおり１０重量％未満）を含んでよい。好ましくは、本発明の組成物は、０重量％〜８重量％、又は０重量％〜５若しくは４重量％、又は０重量％〜３、又は更に２重量％未満のゼオライトビルダーを含む。前記組成物がゼオライトビルダーを本質的に含まないことが更に好ましい場合がある。ゼオライトビルダーを本質的に含まないとは、通常、前記組成物が、故意に添加されたゼオライトビルダーを含まないことを意味する。このことは、非水溶性残留物（例えば、これは布地表面に沈着することがある）の量を最少化するために、前記組成物が非常に溶解性が高いことが望ましい場合、また更には透明な洗浄溶液を有するのが極めて望ましい場合に、特に好ましい。ゼオライトビルダー類としては、ゼオライトＡ、ゼオライトＸ、ゼオライトＰ及びゼオライトＭＡＰが挙げられる。
【００３５】
本発明の組成物は、０重量％〜１０重量％のホスフェートビルダーを含んでよい。好ましくは、前記組成物は、０重量％〜８重量％、又は０重量％〜５若しくは４重量％、又は０重量％〜３、又は更に２重量％のホスフェートビルダーを含む。前記組成物がホスフェートビルダーを本質的に含まないことが更に好ましい場合がある。ホスフェートビルダーを本質的に含まないとは、前記組成物が、通常、故意に添加されたホスフェートビルダーを含まないことを意味する。このことは、前記組成物が極めて良好な環境プロファイルを有するのが望ましい場合に、特に好ましい。ホスフェートビルダー類としては、トリポリリン酸ナトリウムが挙げられる。
【００３６】
本発明の更に好ましい態様では、層状シリケート（ＳＫＳ−６）、クエン酸、シトレート及びニトリロ三酢酸又はその塩から選択される弱いビルダー類の総量は、洗剤組成物の総重量に対して１５重量％未満、より好ましくは８重量％未満、より好ましくは４重量％未満、又は更に３若しくは２重量％未満である。典型的には、層状シリケート、クエン酸、シトレート及びニトリロ三酢酸又はその塩各々の量は、組成物の全重量を基準にして、１０重量％未満又は更に５重量％若しくは重量％未満である。
【００３７】
ビルダー類は、配合者にいくつかの利点をもたらすが、ビルダー類の主な役割は二価の金属イオン（例えば、カルシウム及びマグネシウムイオン類）を、それがなければ界面活性剤系と不都合に相互作用する洗浄溶液から隔離することである。ビルダー類はまた、金属イオン及び無機汚れを布地表面からも除去して、粒子状又は飲料の汚れの除去を改善するのに効果的である。従って、それらの量を減少させるとクリーニング性能にマイナスの影響を与えることが期待されるが、特許請求されるホスフェート及びゼオライトビルダー類の量を減少させることで効果的である洗剤組成物の調製ができることは驚くべきことである。
【００３８】
予備アルカリ度
本明細書で使用する時、「予備アルカリ度」という用語は、洗剤組成物の１％（重量／容量）溶液を塩酸によってｐＨ７．５まで（即ち、以下で定義する様な予備アルカリ度を計算するために）滴定することによって決定される、前記洗剤組成物（ｇ／ＮａＯＨ／１００ｇ洗剤組成物）の緩衝能の尺度である。
ｇ  ＮａＯＨ／１００ｇ製品内のアルカリ％としての予備アルカリ度（ｐＨ７．５まで）＝Ｔ×Ｍ×４０×容量／１０×重量×アリコート
【表１】
2008530265.tif 000002
【００３９】
完全に配合された洗剤組成物の試料１０ｇを小数点第２位まで正確に量り取る。前記試料は、ダストキャビネット内でパスカルサンプラー（Pascall sampler）を使用して取り分ける必要がある。１０ｇの試料をプラスチック製ビーカーに加え、２００ｍＬの二酸化炭素フリーの脱イオン水を加える。撹拌プレート上の磁性攪拌器を使用して、１５．７ｒａｄ／ｓ（１５０ｒｐｍ）にて、完全に溶解するまで、少なくとも１５分間、撹拌する。ビーカーの内容物を、１リットルのメスフラスコに移し、脱イオン水で１リットルにする。十分に混合し、１００ｍＬピペットを使用して、１００ｍＬ±１ｍＬのアリコートを直ちに取る。±０．０１ｐＨ単位まで読み取り可能なｐＨ計を使用して、攪拌しながら、温度を２１℃±２℃に確保しつつ、試料のｐＨ及び温度を測定・記録する。撹拌しながら、ｐＨの測定値が正確に７．５になるまで０．２Ｍ塩酸で滴定する。使用した塩酸のミリリットル数を記録する。同様に３回繰り返した平均滴定量を採用する。前述した計算を行い、ｐＨ７．５にするためのＲＡを計算する。
【００４０】
前記ＲＡは、４より大きく、好ましくは６より大きく、最も好ましくは７．５より大きく、又は更に８より大きく、又は８．５以上である。
【００４１】
堅牢なアルカリ性システムが、通常リパーゼ酵素類の存在に伴う悪臭を防止するために、本発明の洗剤組成物内で有益であることが明らかとなった。理論に束縛されるものではないが、本願発明者らの研究は、これが、洗浄中のアルカリ性が、リパーゼ酵素類による油性汚れの分解によって生じる悪臭のひどい脂肪酸類を中和すること、次に中和後、脂肪酸類のカルシウム塩類が、酵素類によって遊離されたプロトン化した脂肪酸類よりも著しく低い蒸気圧を有すること、によることを示唆している。
【００４２】
例えば、１つ以上のアルカリ金属シリケート類（結晶性層状シリケートを除く）、典型的に非晶質ケイ酸塩類、一般的に１．２〜２．２比のナトリウム塩、アルカリ金属（典型的には、炭酸ナトリウム、重炭酸塩及び／又はセスキ炭酸塩類）によって、適切な予備アルカリ度が提供されてもよい。ＳＴＰＰ、並びに過ホウ酸塩類及び過炭酸塩などの過酸基塩類も、アルカリ性に寄与する。汚れの酸性度、特にリパーゼ酵素によって遊離された脂肪酸に対抗しつつ、アルカリ性ｐＨを洗浄工程中に維持するためには、緩衝が必要である。
【００４３】
洗剤組成物は、好ましくは０重量％〜５０重量％のケイ酸塩、より一般的には５〜３０重量％のケイ酸塩、又は７〜２０重量％のケイ酸塩（通常はケイ酸ナトリウム）を含む。
【００４４】
所望の予備アルカリ度を提供するために、本発明の洗剤組成物は、炭酸塩、典型的には、１重量％〜７０重量％、又は５重量％〜５０重量％、又は１０重量％〜３０重量％の炭酸塩を含んでよい。好ましい炭酸塩類は、炭酸ナトリウム及び／又は重炭酸ナトリウム及び／又はセスキ炭酸ナトリウムである。前記炭酸塩は、バーカイトのような混合塩によって、前記洗剤組成物中に完全に又は部分的に組み込まれてもよい。極めて好ましい炭酸塩は、炭酸ナトリウムである。好ましくは、前記組成物は、５重量％〜５０重量％の炭酸ナトリウム、又は１０〜４０重量％若しくは更に１５〜３５重量％の炭酸ナトリウムを含んでよい。前記組成物が、１重量％〜２０重量％の重炭酸ナトリウム（又は更に２〜１０若しくは８重量％）を含むことが望ましい場合もある。
【００４５】
ゼオライトが存在する場合、炭酸ナトリウム及び／又はケイ酸ナトリウム対ゼオライトビルダーの重量比が、少なくとも５：１、好ましくは少なくとも１０：１、又は少なくとも１５：１、又は少なくとも２０：１、又は更に少なくとも２５：１であることが望ましい場合もある。
【００４６】
炭酸塩又は少なくともその一部は、典型的には粒子形態であり、典型的には２００〜５００マイクロメートルの範囲内の重量平均粒径を有する。しかし、炭酸塩又は少なくともその一部は、微粉化した粒子形態であり、典型的には４〜４０マイクロメートルの範囲内の重量平均粒径を有するのが好ましい場合があり、このことは、炭酸塩又は少なくともその一部が、アルコキシル化アニオン性洗浄性界面活性剤などの洗浄性界面活性剤との共同粒子混合体の形態である場合に、特に好ましい。
【００４７】
必要とされる予備アルカリ度を提供するには、好ましくは炭酸塩及び／又はケイ酸塩類、典型的には炭酸ナトリウム及びケイ酸ナトリウムの濃度が、組成物の全重量を基準にして１０〜７０重量％、又は１０又は更に１５〜５０重量％となる。
【００４８】
界面活性剤
本発明の組成物の極めて好ましい補助構成成分は、界面活性剤である。好ましくは、洗剤組成物は、１つ以上の界面活性剤を含む。典型的には、洗剤組成物は、（当該組成物の）０重量％〜５０重量％、好ましくは５重量％から、より好ましくは１０重量％から、又は更に１５重量％〜４０重量％、若しくは３０重量％まで、若しくは２０重量％までの１つ以上の界面活性剤を含む。好ましい界面活性剤は、アニオン性界面活性剤、非イオン性界面活性剤、カチオン性界面活性剤、双性イオン性界面活性剤、両性界面活性剤、カチオン性界面活性剤、及びこれらの混合物である。
【００４９】
アニオン性界面活性剤類
好適なアニオン性界面活性剤類は、典型的には炭酸塩、ホスフェート、ホスホン酸塩、硫酸塩、スルホン酸塩、カルボン酸塩、及びこれらの混合物から成る群から選択される１つ以上の部分含む。前記アニオン性界面活性剤は、Ｃ８〜１８アルキルサルフェート類及びＣ８〜１８アルキルスルホネート類の１つ又はこれらの複数の混合物でもよい。本発明の組成物中に単独で又は混合物として組み込まれる好適なアニオン性界面活性剤は、更に、所望によりＣ８〜１８アルキルサルフェート及び／又はＣ８〜１８アルキルスルホネート１モル当たり１〜９モルのＣ１〜４アルキレンオキシドと縮合されたＣ８〜１８アルキルサルフェート類及び／又はＣ８〜１８アルキルスルホネート類である。Ｃ８〜１８アルキルサルフェート類及び／又はＣ８〜１８アルキルスルホネート類のアルキル鎖は、直鎖又は分枝状であってよく、好ましい分枝状アルキル鎖は、Ｃ１〜６アルキル基である１つ以上の分枝状部分を含む。より具体的には、好適なアニオン性界面活性剤類は、Ｃ１０〜Ｃ２０一級、分枝鎖、直鎖及びランダム鎖アルキル硫酸塩類（ＡＳ）を含み、典型的には次の化学式を有する。
ＣＨ３（ＣＨ２）ｘＣＨ２−ＯＳＯ３−Ｍ＋
式中、Ｍは水素又は電気的中性を提供するカチオン（好ましいカチオン類はナトリウム及びアンモニウムカチオン類である）であり、ｘは少なくとも７の整数であり、好ましくは少なくとも９の整数であり、Ｃ１０〜Ｃ１８二級（２，３）アルキルサルフェート類で、通常次式を有する。
【化１】
2008530265.tif 000003
式中、Ｍは水素又は電気的中性を付与するカチオンであり、好適なカチオン類にはナトリウムとアンモニウムカチオンを含み、ｘは少なくとも７の整数であり、好ましくは少なくとも９の整数であり、ｙは少なくとも８の整数であり、好ましくは少なくとも９の整数であり、米国特許第６，０２０，３０３号と同第６，０６０，４４３号により詳細に記載されているようなＣ１０〜Ｃ１８のアルキルアルコキシカルボン酸塩類、中鎖分枝状アルキルサルフェート類、ＰＣＴ国際公開特許ＷＯ９９／０５２４３、同９９／０５２４２、同９９／０５２４４、同９９／０５０８２、同９９／０５０８４、同９９／０５２４１、同９９／０７６５６、同００／２３５４９、及び同００／２３５４８により詳細に記載されているような変性アルキルベンゼンサルフェート（ＭＬＡＳ）、及びこれらの混合物から成る群から選択されてよい。
【００５０】
好ましいアニオン性界面活性剤は、Ｃ８〜１８アルキルベンゼンサルフェート類及び／又はＣ８〜１８アルキルベンゼンスルホネート類である。Ｃ８〜１８アルキルベンゼンサルフェート類及び／又はＣ８〜１８アルキルベンゼンスルホネート類のアルキル鎖は、直鎖又は分枝状であってよく、好ましい分枝状アルキル鎖は、Ｃ１〜６アルキル基である１つ以上の分枝状部分を含む。
【００５１】
その他の好ましいアニオン性界面活性剤は、Ｃ８〜１８アルケニルサルフェート類、Ｃ８〜１８アルケニルスルホネート類、Ｃ８〜１８アルケニルベンゼンサルフェート類、Ｃ８〜１８アルケニルベンゼンスルホネート類、Ｃ８〜１８アルキルジメチルベンゼンサルフェート、Ｃ８〜１８アルキルジメチルベンゼンスルホネート、脂肪酸エステルスルホネート類、ジアルキルスルホサクシネート類、及びこれらの組み合わせから成る群から選択される。本明細書の他の有用なアニオン性界面活性剤としては、α−スルホン化脂肪酸のエステル類（典型的には、６〜２０個の炭素原子を脂肪酸基中に及び１〜１０個の炭素原子をエステル基中に含有する）；２−アシルオキシ−アルカン−１−スルホン酸及びその塩類（典型的には、約２〜９個の炭素原子をアシル基中に及び約９〜２３個の炭素原子をアルカン部分に含む）；α−オレフィンスルホネート類（ＡＯＳ）（典型的には、約１２〜２４個の炭素原子を含有する）；並びにβ−アルコキシアルカンスルホネート類（典型的には、約１〜３個の炭素原子をアルキル基中に及び約８〜２０個の炭素原子をアルカン部分に含有する）が挙げられる。典型的には、１０〜２０個の炭素原子を有するアルキル基を含有する脂肪酸エステル類のスルホン化生成物も有用である。好ましいのは、Ｃ１〜４であり、最も好ましくはメチルエステルスルホネート類である。好ましいのは、Ｃ１６〜１８メチルエステルスルホネート類（ＭＥＳ）である。
【００５２】
アニオン性界面活性剤は、塩の形態で存在してもよい。例えば、前記アニオン性界面活性剤（類）は、上述のいずれかのアルカリ金属塩であってもよい。好ましいアルカリ金属は、ナトリウム、カリウム及びこれらの混合物である。
【００５３】
好ましいアニオン性洗浄性界面活性剤類は、直鎖又は分枝鎖、置換又は非置換のＣ１２〜１８のアルキルサルフェート類、直鎖又は分枝鎖、置換又は非置換のＣ１０〜１３のアルキルベンゼンスルホネート類、好ましくは直鎖のＣ１０〜１３のアルキルベンゼンスルホネート類、及びその混合物から成る群から選択される。極めて好ましいのは、直鎖Ｃ１０〜１３アルキルベンゼンスルホネート類である。極めて好ましいのは、市販の直鎖アルキルベンゼン類（ＬＡＢ）をスルホン化することによって生成可能な、好ましくはそれによって生成される直鎖Ｃ１０〜１３アルキルベンゼンスルホネート類であって、好適なＬＡＢとしては、サソール（Sasol）からイソケム（Isochem）（登録商標）の商標名で供給されているものか又はペトレサ（Petresa）から商標名ペトレラボ（Petrelab）（登録商標）の商標名で供給されているもののような低級２−フェニルＬＡＢが挙げられ、その他の好適なＬＡＢとしては、サソールからハイブリーン（Hyblene）（登録商標）の商標名で供給されているもののような高級２−フェニルＬＡＢが挙げられる。
【００５４】
アニオン性洗浄性界面活性剤は、アニオン性洗浄性界面活性剤がよりカルシウム耐性となり、遊離カルシウムイオンの存在下で洗浄溶液から析出し難くなるように、構造的に修飾されることが好ましいことがある。この構造的修飾は、アニオン性洗浄性界面活性剤の先端基の付近にメチル部分又はエチル部分を導入することであり得るが、先端基の立体障害により、よりカルシウム耐性の高められたアニオン性洗浄性界面活性剤をもたらすことができ、遊離カルシウムイオンと錯体を形成して溶液から析出させるためのアニオン性洗浄性界面活性剤の親和性を低減させることができるからである。他の構造的修飾には、アニオン性洗浄性界面活性剤のアルキル鎖中のアミン部分等の官能性部分の導入が含まれる。これにより、アニオン性洗浄性界面活性剤のアルキル鎖中の官能基の存在により、洗浄溶液中の遊離カルシウムイオンの存在下で滑らかな結晶構造が形成されるというアニオン性洗浄性界面活性剤の望ましくない物理化学的特性が最小化され、よりカルシウム耐性のアニオン性洗浄性界面活性剤にすることができる。これにより、アニオン性洗浄性界面活性剤が溶液から析出する傾向を低減させることができる。
【００５５】
アルコキシル化アニオン性界面活性剤類
組成物は、アルコキシル化アニオン性界面活性剤を含んでよい。このような界面活性剤を有する場合、洗剤組成物に対して全体として、一般に０．１重量％〜４０重量％、一般に０．１〜１０重量％の量で存在する。前記組成物は、３重量％〜５重量％のアルコキシル化アニオン性洗浄性界面活性剤を含むことが好ましい場合、又は前記組成物は、１重量％〜３重量％のアルコキシル化アニオン性洗浄性界面活性剤を含むことが好ましい場合がある。
【００５６】
好ましくは、アルコキシル化アニオン性洗浄性界面活性剤は、平均アルコキシル化度が１〜３０、好ましくは１〜１０の、直鎖又は分枝鎖の、置換又は非置換のＣ１２〜１８アルキルアルコキシル化スルフェートである。好ましくは、アルコキシル化アニオン性洗浄性界面活性剤は、平均エトキシル化度が１〜１０の、直鎖又は分枝鎖の、置換又は非置換のＣ１２〜１８アルキルエトキシル化スルフェートである。最も好ましくは、アルコキシル化アニオン性洗浄性界面活性剤は、平均エトキシル化度が３〜７の、直鎖の非置換のＣ１２〜１８アルキルエトキシル化スルフェートである。
【００５７】
アルコキシル化アニオン性洗浄性界面活性剤は、遊離カルシウムカチオン類の存在下で非アルコキシル化アニオン性洗浄性界面活性剤が溶液から析出する可能性を低減することによって、当該非アルコキシル化アニオン性洗浄性界面活性剤の活性を高める場合もある。好ましくは、非アルコキシル化アニオン性洗浄性界面活性剤とアルコキシル化アニオン性洗浄性界面活性剤との重量比は、５：１未満、又は３：１未満、又は１．７：１未満、又は更に１．５：１未満である。この比は、良好な硬度許容（hardness tolerency）特性及び良好な発泡特性と併せて、最適な白色度の維持性能をもたらす。しかしながら、非アルコキシル化アニオン性洗浄性界面活性剤とアルコキシル化アニオン性洗浄性界面活性剤との重量比は、５：１を超え、又は６：１を超え、又は７：１を超え、又は更に１０：１を超えることが好ましい場合がある。この比は、良好な硬度許容（hardness tolerency）特性及び良好な発泡特性と併せて、最適な脂汚れ洗浄性能を与える。
【００５８】
好適なアルコキシル化アニオン性洗浄性界面活性剤類は、テキサパン（Texapan）ＬＥＳＴ（登録商標）（コグニス社（Cognis））；コスマコール（Cosmacol）ＡＥＳ（登録商標）（サソール社（Sasol））；ＢＥＳ１５１（登録商標）（ステファン社(Stephan)）；エムピコール（Empicol）ＥＳＣ７０／Ｕ（登録商標）；及びこれらの混合物である。
【００５９】
非イオン性洗浄性界面活性剤
本発明の組成物は、非イオン性界面活性剤を含んでよい。存在する場合、それは一般に、組成物の全重量を基準にして０．５重量％〜２０、更に典型的には０．５〜１０重量％の量で存在する。前記組成物は、１重量％〜７重量％又は２重量％〜４重量％の非イオン性洗浄性界面活性剤を含んでよい。前記組成物中に非イオン性洗浄性界面活性剤を包含することは、特に６０℃以上などの高温で洗濯するときに、良好な全体的な洗浄特性を付与するのに役立つ。
【００６０】
非イオン性洗浄性界面活性剤は、Ｃ１２〜Ｃ１８アルキルエトキシレート類、例えば、シェル（Shell）製ネオドール（NEODOL）（登録商標）非イオン性界面活性剤類；Ｃ６〜Ｃ１２アルキルフェノールアルコキシラート類であって、ここで前記アルコキシラート単位が、エチレンオキシ単位、プロピレンオキシ単位、又はこれらの混合物であるもの；エチレンオキシド／プロピレンオキシドブロックポリマー類との、Ｃ１２〜Ｃ１８アルコール縮合物及びＣ６〜Ｃ１２アルキルフェノール縮合物、例えば、ＢＡＳＦ社製プルロニック（Pluronic）（登録商標）；米国特許第６，１５０，３２２号においてより詳細に記載されているＣ１４〜Ｃ２２中鎖分枝状アルコール類、ＢＡ；米国特許第６，１５３，５７７号、同第６，０２０，３０３号及び同第６，０９３，８５６号においてより詳細に記載されているＣ１４〜Ｃ２２中鎖分枝状アルキルアルコキシラート類、ＢＡＥｘ、ただし、ｘは１〜３０である；米国特許第４，５６５，６４７号においてより詳細に記載されているアルキル多糖類、特に、米国特許第４，４８３，７８０号及び同第４，４８３，７７９号においてより詳細に記載されているアルキルポリグリコシド類；米国特許第５，３３２，５２８号、ＰＣＴ国際公開特許ＷＯ９２／０６１６２、同ＷＯ９３／１９１４６、同ＷＯ９３／１９０３８、及び同ＷＯ９４／０９０９９においてより詳細に記載されているポリヒドロキシ脂肪酸アミド類；米国特許第６，４８２，９９４号及びＰＣＴ国際公開特許ＷＯ０１／４２４０８においてより詳細に記載されているエーテルで末端保護されたポリ（オキシアルキル化）アルコール界面活性剤類；並びにこれらの混合物から成る群より選択することができる。
【００６１】
非イオン性洗浄性界面活性剤は、アルキルポリグルコシド及び／又はアルキルアルコキシル化アルコールであり得る。好ましくは、非イオン性洗浄性界面活性剤は、平均エトキシル化度が１〜５０、より好ましくは３〜４０の、直鎖又は分枝鎖、置換又は非置換のＣ８〜１８アルキルエトキシル化アルコールである。３〜９のエトキシル化度を有する非イオン性界面活性剤が、特に有用であり得る。１３〜２５のＨＬＢ値を有する非イオン性界面活性剤（例えば、１５〜５０又は更に２０〜５０の平均エトキシル化度を有するＣ８〜１８アルキルエトキシル化アルコール類）もまた、本発明の組成物の好ましい非イオン性界面活性剤であり得る。これら後者の非イオン性界面活性剤の例は、ルテンゾールＡＯ３０及びＰＣＴ国際公開特許ＷＯ０４／０４１９８２に開示される類似物質である。これらは、良好なライムソープの分散剤性質を有するので、有益であり得る。
【００６２】
非イオン性洗浄性界面活性剤は、更なる汚れ洗浄性能を付与するのみならず、遊離カルシウムカチオン類の存在下でアニオン性洗浄性界面活性剤が溶液から析出する可能性を低減することによって、アニオン性洗浄性界面活性剤の活性を高める場合もある。非アルコキシル化アニオン性洗浄性界面活性剤と非イオン性洗浄性界面活性剤との重量比は、８：１未満、又は７：１未満、又は６：１未満、又は５：１未満、好ましくは１：１〜５：１、又は２：１〜５：１、又は更に３：１〜４：１の範囲内である。
【００６３】
カチオン性洗浄性界面活性剤
発明の１つの態様では、前記洗剤組成物は、カチオン性界面活性剤を含まない。しかし、組成物は所望により、０．１重量％〜１０又は５重量％のカチオン性洗浄性界面活性剤を含んでよい。しかし、存在する場合、好ましくは組成物は、０．５重量％〜３重量％、又は１重量％〜３重量％、又は更に１重量％〜２重量％のカチオン性洗浄性界面活性剤を含む。これは、良好な洗浄をもたらすカチオン性洗浄性界面活性剤の最適濃度である。好適なカチオン性洗浄性界面活性剤類は、アルキルピリジニウム化合物類、アルキル四級アンモニウム化合物類、アルキル四級ホスホニウム化合物類、及びアルキル三級スルホニウム化合物類である。前記カチオン性洗浄性界面活性剤は、米国特許６，１３６，７６９号により詳細に記載されているようなアルコキシレート四級アンモニウム（ＡＱＡ）界面活性剤類、米国特許６，００４，９２２号により詳細に記載されているようなジメチルヒドロキシエチル四級アンモニウム、ＰＣＴ国際公開特許ＷＯ９８／３５００２、同ＷＯ９８／３５００３、同ＷＯ９８／３５００４、同ＷＯ９８／３５００５、同ＷＯ９８／３５００６により詳細に記載されているようなポリアミンカチオン性界面活性剤類、米国特許第４，２２８，０４２号、同第４，２３９，６６０号、同第４，２６０，５２９号、同第６，０２２，８４４号により詳細に記載されているようなカチオン性エステル界面活性剤類、米国特許第６，２２１，８２５号及びＰＣＴ国際公開特許ＷＯ００／４７７０８により詳細に記載されているようなアミノ界面活性剤類、特にアミドプロピルジメチルアミン及びその混合物から成る群から選択され得る。好適なカチオン性洗浄性界面活性剤類は、次の一般式を有する四級アンモニウム化合物類である。
（Ｒ）（Ｒ１）（Ｒ２）（Ｒ３）Ｎ＋Ｘ−
式中、Ｒは直鎖又は分枝鎖、置換又は非置換、Ｃ６〜１８アルキル又はアルケニル部分であり、Ｒ１とＲ２は、独立して、メチル又はエチル部分から選択され、Ｒ３は、ヒドロキシル、ヒドロキシメチル又はヒドロキシエチル部分であり、Ｘは電気的中性を付与するアニオンであり、好適なアニオン類には、ハロゲン化合物類（塩化物等）、サルフェート及びスルホネートが含まれる。好ましいカチオン性洗浄性界面活性剤類は、モノ−Ｃ６〜１８アルキルモノヒドロキシエチルジメチル四級アンモニウムクロライドである。非常に好ましいカチオン性洗浄性界面活性剤類は、モノ−Ｃ８〜１０アルキルモノヒドロキシエチルジメチル四級アンモニウムクロライド、モノ−Ｃ１０〜１２アルキルモノヒドロキシエチルジメチル四級アンモニウムクロライド、及びモノ−Ｃ１０アルキルモノヒドロキシエチルジメチル四級アンモニウムクロライドである。プレパゲン（Praepagen）ＨＹ（クラリアント社（Clariant）の商標名）などのカチオン性界面活性剤類は、有用であり得、泡促進剤としても有用であり得る。
【００６４】
カチオン性洗浄性界面活性剤は、更なる脂汚れ洗浄性能を提供する。しかしながら、カチオン性洗浄性界面活性剤は、任意の非アルコキシル化アニオン性洗浄性界面活性剤を溶液から析出し易くする場合がある。好ましくは、前記カチオン性洗浄性界面活性剤及び任意の非アルコキシル化アニオン性洗浄性界面活性剤は、本発明の洗剤組成物内で分離されている（例えば、カチオン性界面活性剤が存在する場合、好ましくはカチオン性及び任意のアニオン性界面活性剤、特に非アルコキシル化アニオン性界面活性剤は、組成物中に別個の粒子で存在する）。これは、任意のカチオン性洗浄性界面活性剤が、アニオン性洗浄性界面活性剤の望ましくない析出に対して有するいかなる影響をも最小化し、更に水と接触してその結果得られる洗浄溶液が濁らないことを確実にする。カチオン性界面活性剤が存在する場合、好ましくは、非アルコキシル化アニオン性洗浄性界面活性剤対カチオン性洗浄性界面活性剤の重量比は、５：１〜２５：１、より好ましくは５：１〜２０：１、又は６：１〜１５：１、又は７：１〜１０：１、又は更に８：１〜９：１の範囲内である。
【００６５】
典型的には、前記洗剤組成物は、１〜５０重量％、更に典型的には２〜４０重量％のアニオン性界面活性剤を含む。アルキルベンゼンスルホネート類が、好ましいアニオン性界面活性剤である。
【００６６】
本発明の好ましい組成物は、少なくとも２つの異なった界面活性剤を組み合わせて含むが、第一のグループから選択されるものを少なくとも１つ（第一のグループは、アルキルベンゼンスルホネート及びＭＥＳ界面活性剤を含む）、並びに第二のグループから選択されるものを少なくとも１つ（第二のグループは、アルコキシル化アニオン性界面活性剤、ＭＥＳ及びアルコキシル化非イオン性界面活性剤及びαオレフィンスルホネート類（ＡＯＳ）を含む）含む。特に好ましい組み合わせは、アルキルベンゼンスルホネート、好ましくはＭＥＳと組み合わされたＬＡＳで構成されている。更に特に好ましい組み合わせは、アルキルベンゼンスルホネート、好ましくはアルコキシル化アニオン性界面活性剤、好ましくは１〜１０の平均アルコキシル化度を有するＣ８〜１８アルキルアルコキシル化サルフェートを含むＬＡＳで構成されている。第三の特に好ましい組み合わせは、アルキルベンゼンスルホネート、好ましくはアルコキシル化非イオン性界面活性剤、好ましくは１５〜５０、好ましくは２０〜４０のアルコキシル化度を有するＣ８〜１８アルキルエトキシル化アルコールと組み合わされたＬＡＳで構成されている。
【００６７】
第１グループの界面活性剤の重量比対第２グループの界面活性剤の重量比は、典型的には１：５〜１００：１、好ましくは１：２〜１００：１、又は１：１〜５０：１、又は更に２０：１、又は１０：１である。前記界面活性剤の濃度は、上記のように、特定の部類の界面活性剤のものである。系内のＡＥ３Ｓ及び／又はＭＥＳの存在は、リパーゼによる洗浄中に形成される優れた硬度許容度及びライムソープ分散能故に好ましい。
【００６８】
別の実施形態では、本発明の洗剤組成物中の界面活性剤は、少なくとも３つの界面活性剤（上記で定義した第１及び第２グループの各々からの少なくとも１つ、加えて第三の界面活性剤（好ましくはこれも上記で定義した第１又は第２のグループからのもの））を含む。
【００６９】
本発明の洗剤組成物は、リパーゼによってもたらされる汚れ除去機能故に、意外にも比較的低い濃度（界面活性剤の総量が、組成物の総重量に対して、１２重量％未満、又は１０重量％、又は８重量％であり得る）でありながら、それでも尚良好な洗浄を示す界面活性剤を含有してよい。
【００７０】
高分子ポリカルボキシレート
本発明の組成物が、少なくとも０．１重量％、又は少なくとも０．５重量％、又は少なくとも２〜３重量％、又は更に少なくとも５重量％の高分子ポリカルボキシレート類を３０重量％又は２０重量％又は１０重量％以下の濃度で含むことが望ましい場合もある。好ましい高分子ポリカルボキシレート類には、好ましくは１．６７Ｅ−２１ｇ（１，０００ダルトン）〜３．３２Ｅ−２０ｇ（２０，０００ダルトン）の重量平均分子量を有するポリアクリレート類；好ましくはマレイン酸モノマー類対アクリル酸モノマー類のモル比が１：１〜１：１０で、１．６７Ｅ−２０ｇ（１０，０００ダルトン）〜３．３２Ｅ−１９ｇ（２００，０００ダルトン）の重量平均分子量を有する、又は好ましくはマレイン酸モノマー類対アクリル酸モノマー類のモル比が０．３：１〜３：１で、１．６７Ｅ−２１ｇ（１，０００ダルトン）〜８．３Ｅ−２０ｇ（５０，０００ダルトン）の重量平均分子量を有する、マレイン酸とアクリル酸とのコポリマー類を含む。好適なポリカルボキシレート類は、ソカラン（Sokalan）ＣＰ、ＰＡ及びＨＰ類（ＢＡＳＦ社）（例えば、ソカランＣＰ５、ＰＡ４０及びＨＰ２２）、及び一連のポリマー類（Ａｌｃｏ）であるアルコスパース（Alcosperse）（例えば、アルコスパース７２５、７４７、４０８、４１２及び４２０）である。
【００７１】
汚れ分散剤
組成物は、次式を有する汚れ分散剤を含むことが好ましいこともある：
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）
式中、ｎは２０〜３０であり、ｘは３〜８である。他の好適な汚れ分散剤類は、次式を有するスルホン酸化又は硫酸化された汚れ分散剤類である：
スルホン酸化又は硫酸化されたビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）
式中、ｎは２０〜３０であり、ｘは３〜８である。好ましくは、前記組成物は、少なくとも１重量％、又は少なくとも２重量％、又は少なくとも３重量％の汚れ分散剤類を含む。
【００７２】
本発明の好適な実施例では、前記洗剤組成物は更に、泡促進剤を組成物の全重量を基準にして、典型的には０．０１〜１０重量％の量で、好ましくは０．０２〜５重量％の量で含む。好適な泡促進剤としては、脂肪酸アミド類、脂肪酸アルカロンアミド類（alkalonamides）、ベタイン類、スルホベタイン類及びアミンオキシド類が挙げられる。特に好ましい物質は、コカミドプロピルベタイン、ココモノエタノールアミド及びアミンオキシドである。好適なアミンオキシドは、アドモックス（Admox）１２（アルベマーレ（Albemarle）により供給）である。
【００７３】
ライムソープ分散剤類
これらのリパーゼ酵素類は、汚れを洗浄水中に遊離するので、本発明の洗剤組成物が更に、前述した高分子ポリカルボキシレート類などの再付着防止ポリマーを含むことが特に好ましい場合がある。加えて、又はあるいは、カルボキシメチルセルロース（ＣＭＣ）などのセルロースエーテルが有用である。好適なＣＭＣは、タイロース（Tylose）ＣＲ１５００  Ｇ２（クラリアント社（Clariant）により販売）である。好適なポリマー類は、アンダーコル社（Andercol）（コロンビア）（商標名テクスティラン（Textilan）にて）によっても販売されている。
【００７４】
ライムソープの分散性（dispersancy functionality）を有する添加物（例えば、アキュソル（Acusol）４６０Ｎ（ローム＆ハース社（Rohm & Haas）のように優れたライムソープ分散性（dispersancy）を示す、上述したＭＥＳ、ＡＥＳ、高度にエトキシル化した非イオン性界面活性剤又はポリマー類）を含むことが、特に好ましい。好適なライムソープ分散剤の一覧は、次の参考文献及び文献内で引用されている。
【００７５】
ＰＣＴ国際公開特許ＷＯ９４０７９７４（Ｐ＆Ｇ）、同ＷＯ９４０７９８４（Ｐ＆Ｇ）、同ＷＯ９４０７９８５（Ｐ＆Ｇ）、同ＷＯ９５０４８０６（Ｐ＆Ｇ）、同ＷＯ９７０３３７９（Ｐ＆Ｇ）、米国特許第６７７０６１０号（クラリアント社（Clariant））、欧州特許第０３２４５６８号（ローム＆ハース社（Rohm & Haas））、欧州特許第０７６８３７０号（ローム＆ハース社（Rohm & Haas））、Ｍ．Ｋ．ナガラジャン（Nagarajan）及びＷ．Ｆ．マスラー（Masler）著、化粧品及びトイレタリー（Cosmetics and Toiletries）、１９８９年、第１０４巻、７１〜７３頁、Ｗ．Ｍ．リンフィールド（Linfield）著、Ｔｅｎｓｉｄｅ  Ｓｕｒｆ．  Ｄｅｔ、１９９０年、第２７巻、１５９〜１６１頁、Ｒ．Ｇ．ビストリン（Bistline）ら著、米国油化学会誌（J. Am. Oil Chem.Soc）、１９７２年、第４９巻、６３〜６９頁。
【００７６】
汚れ遊離ポリマーの存在が、更に本発明の染み除去及び洗浄効果（特に合成繊維に対して）を強化するのに特に有益であることを見出した。変性セルロースエーテル類、例えば、クラリアント社（Clariant）によりタイロース（Tylose）ＭＨ５０  Ｇ４及びタイロースＭＨ３００  Ｇ４として販売されているメチルヒドロキシエチルセルロース（ＭＨＥＣ）などが好ましい。ポリエステルベースの汚れ遊離ポリマーは、ライムソープ分散剤としても効果的であり得るため、特に好ましい。好適な物質の例としては、リペル−オー−テックス（Repel-o-Tex）ＰＦ（ローディア社（Rhodia）により供給）、テックスケア（Texcare）ＳＲＡ１００（クラリアント社（Clariant）により供給）及びソカラン（Sokalan）ＳＲ１００（ＢＡＳＦ社）である。
【００７７】
前記処方は、一次洗浄リパーゼに加えて１つ以上の他の酵素類、例えばプロテアーゼ、アミラーゼ、セルラーゼ（特に、エンドグルカナーゼ）、ペクテートリアーゼ及び／又はマンナナーゼを含有してもよい。
【００７８】
本発明の洗剤組成物は、任意の都合のよい形態、例えば固体（例えば、粉末状若しくは粒状若しくは錠剤固体、棒状）又は液体（水性若しくは非水性、ゲル若しくは液体）であることができる。これらの形態のいずれも、部分的に又は完全にカプセル封止されていてもよい。しかし、本発明は特に固体洗剤組成物、特に粒状組成物に関する。本発明の洗剤組成物が固体である場合、通常、界面活性剤類は、粒塊、押出品又はスプレー乾燥粒子内へ、固形物（通常は、ビルダー類）と共に組み込まれ、且つこれらは混合されて完全に配合された本発明の洗剤組成物を生成してよい。粒状形態で存在する場合、本発明の洗剤組成物は、３５０〜１２００ｇ／Ｌ、より好ましくは４５０〜１０００ｇ／Ｌ、又は更に５００〜９００ｇ／Ｌの全体の嵩密度を有するものが好ましい。好ましくは、粒状形態の洗剤組成物の洗剤粒子は、２００μｍ〜２０００μｍ、好ましくは３５０μｍ〜６００μｍの平均粒径を有する。
【００７９】
一般に本発明の洗剤組成物は、粒塊、スプレー乾燥粉末、及び／又は乾燥添加材料（例えば漂白剤、酵素など）の組み合わせを包含する洗剤粒子の混合物を含む。
【００８０】
発明の１つの態様では、本発明の洗剤組成物類は、上記リストからのアニオン性界面活性剤（非アルコキシル化アニオン性洗浄性界面活性剤であり、これは好ましくは洗剤組成物中へ微粒子形態にて、例えば粒塊、噴霧乾燥粉末、押出品、ビード、麺状、針状、又はフレークとして組み込まれる）を含む。噴霧乾燥粒子が好ましい。粒塊である場合、粒塊は好ましくは少なくとも粒塊の２０重量％の非アルコキシル化アニオン性洗浄性界面活性剤を、より好ましくは粒塊の２５重量％〜６５重量％の非アルコキシル化アニオン性洗浄性界面活性剤を含む。非アルコキシル化アニオン性洗浄性界面活性剤の一部が、噴霧乾燥された粉末の形態（例えば、ブロー成形された粉末）であり、非アルコキシル化アニオン性洗浄性界面活性剤の一部が、噴霧乾燥されていない粉末の形態（例えば、粒塊、押出品、又は直鎖アルキルベンゼンスルホネートフレークのようなフレークであって、好適な直鎖アルキルベンゼンスルホネートフレークは、パイロット・ケミカル（Pilot Chemical）から商標名Ｆ９０（登録商標）として、又はステパン（Stepan）から商標名ナコノール（Nacconol）９０Ｇ（登録商標）として供給される）であることが好ましい場合がある。これは、前記組成物中に高濃度の非アルコキシル化アニオン性洗浄性界面活性剤を組み込むのが望ましい場合に特に好ましい。
【００８１】
任意のアルコキシル化アニオン性洗浄性界面活性剤が、非噴霧乾燥粉末（例えば、押出品、粒塊、好ましくは粒塊）の噴霧乾燥粒子によって、本発明の洗剤組成物中に組み込まれてもよい。高濃度のアルコキシル化アニオン性洗浄性界面活性剤を組成物中に組み込むことが好ましい場合には、非噴霧乾燥粒子が好ましい。
【００８２】
任意の非イオン性洗浄性界面活性剤又はその少なくとも一部は、組成物中に液体噴霧された形態で組み込まれることが可能であり、この場合、液状（例えば、ホットメルト形態）の非イオン性洗浄性界面活性剤又はその少なくとも一部が組成物の残りの成分に噴霧される。非イオン性洗浄性界面活性剤又は少なくともその一部は、本発明の洗剤組成物中に組み込まれるために粒子内に含有されてもよく、非イオン性洗浄性界面活性剤又は少なくともその一部は、組成物の残余部分に乾燥状態で追加されてもよい。非イオン性洗浄性界面活性剤又はその少なくとも一部は、炭酸塩、硫酸塩、バーク石、シリカ、又はこれらのいずれかの混合物などの固体キャリア材料との共同粒子混合体の形態であってよい。
【００８３】
任意の非イオン性洗浄性界面活性剤又はその少なくとも一部は、アルコキシル化アニオン性洗浄性界面活性剤、非アルコキシル化アニオン性洗浄性界面活性剤、又はカチオン性洗浄性界面活性剤のいずれかとの共同粒子混合体であってもよい。非イオン性洗浄性界面活性剤若しくはその少なくとも一部は、アルコキシル化アニオン性洗浄性界面活性剤、非アルコキシル化アニオン性洗浄性界面活性剤、又はカチオン性洗浄性界面活性剤のいずれかと共に凝集若しくは押出成形されてもよい。
【００８４】
カチオン性洗浄性界面活性剤が存在する場合、噴霧乾燥粉末、粒塊、押出品、フレーク、麺状、針状、又はこれらの任意の組み合わせのような微粒子で組み込むことによって、組成物中に組み込まれてもよい。好ましくは、カチオン性洗浄性界面活性剤又はその少なくとも一部は、噴霧乾燥された粉末又は粒塊の形態である。
【００８５】
第１、第２及び第３界面活性剤構成成分
本発明の更に別の態様では、洗剤組成物は、粒状構成成分を含み、少なくとも２つの別個の界面活性剤構成成分、又は更に少なくとも３つの別個の界面活性剤構成成分（第１、第２及び任意の第３界面活性剤構成成分）を含んで提供される。これらの別個の界面活性剤構成成分は、別個の微粒子内に、少なくとも２つの界面活性剤構成成分が洗剤組成物内にてお互い分離して存在してよい。
【００８６】
組成物は、好ましくは、少なくとも、それぞれが粒子形態である２つの個々の界面活性剤成分を含む。組成物は、少なくとも、それぞれが粒子形態である、３つの個々の界面活性剤成分を含むことが好ましい場合がある。
【００８７】
第１界面活性剤成分は、主に、アルコキシル化洗浄性界面活性剤を含む。主に含むとは、第１界面活性剤成分が第１界面活性剤成分の５０重量％を超えるアルコキシル化アニオン性洗浄性界面活性剤を含み、好ましくは第１界面活性剤成分の６０重量％を超える、又は７０重量％を超える、又は８０重量％を超える、又は９０重量％を超える、又は更に本質的に１００重量％のアルコキシル化アニオン性洗浄性界面活性剤を含むことを意味する。好ましくは、第１界面活性剤成分は、第１界面活性剤成分の１０重量％未満の非アルコキシル化アニオン性洗浄性界面活性剤を含み、好ましくは第１界面活性剤成分の５重量％未満、又は２重量％未満、又は更に０重量％の非アルコキシル化アニオン性洗浄性界面活性剤を含む。好ましくは、第１界面活性剤成分は非アルコキシル化アニオン性洗浄性界面活性剤を本質的に含まない。非アルコキシル化アニオン性洗浄性界面活性剤を本質的に含まないとは、第１界面活性剤成分が、通常、故意に添加された非アルコキシル化アニオン性洗浄性界面活性剤を含まないことを意味する。このことは、組成物が良好な分配及び溶解特性を有することを確実にするため、並びに組成物が、水に溶解されたときに透明な洗浄溶液を提供することをも確実にするために、特に好ましい。
【００８８】
カチオン性洗浄性界面活性剤が組成物中に存在する場合、好ましくは、第１界面活性剤成分は第１界面活性剤成分の１０重量％未満のカチオン性洗浄性界面活性剤を含み、好ましくは第１界面活性剤成分の５重量％未満、又は２重量％未満、又は更に０％のカチオン性洗浄性界面活性剤を含む。好ましくは、第１界面活性剤成分は、カチオン性洗浄性界面活性剤を本質的に含まない。カチオン性洗浄性界面活性剤を本質的に含まないとは、第１界面活性剤成分が、通常、故意に添加されたカチオン性洗浄性界面活性剤を含まないことを意味する。このことは、洗浄溶液中での界面活性剤のゲル化程度を低減するために、特に好ましい。
【００８９】
第１界面活性剤成分は、好ましくは噴霧乾燥された粉末、粒塊、押出品、又はフレークの形態である。第１界面活性剤成分が凝集粒子（agglomerate particle）又は押出品粒子の形態であれば、好ましくは、粒子は、粒子の２０重量％〜６５重量％のアルコキシル化アニオン性洗浄性界面活性剤を含む。第１界面活性剤成分が噴霧乾燥された粒子の形態であれば、好ましくは、粒子は、粒子の１０重量％〜３０重量％のアルコキシル化アニオン性洗浄性界面活性剤を含む。第１界面活性剤成分は、固体キャリア材料との共同粒子混合体の形態であってよい。固体キャリア材料は、硫酸塩及び／又は炭酸塩、好ましくは硫酸ナトリウム及び／又は炭酸ナトリウムであり得る。
【００９０】
第２界面活性剤成分は、主に、非アルコキシル化洗浄性界面活性剤を含む。主に含むとは、第２界面活性剤成分が第２界面活性剤成分の５０重量％を超える非アルコキシル化アニオン性洗浄性界面活性剤を含み、好ましくは第２界面活性剤成分の６０重量％を超える、又は７０重量％を超える、又は８０重量％を超える、又は９０重量％を超える、又は更に本質的に１００％の非アルコキシル化アニオン性洗浄性界面活性剤を含むことを意味する。好ましくは、第２界面活性剤成分は、第２界面活性剤成分の１０重量％未満のアルコキシル化アニオン性洗浄性界面活性剤を含み、好ましくは第２界面活性剤成分の５重量％未満、又は２重量％未満、又は更に０％のアルコキシル化アニオン性洗浄性界面活性剤を含む。カチオン性洗浄性界面活性剤が組成物中に存在する場合、好ましくは、第２界面活性剤成分は第２界面活性剤成分の１０重量％未満のカチオン性洗浄性界面活性剤を含み、好ましくは第２界面活性剤成分の５重量％未満、又は２重量％未満、又は更に０％のカチオン性洗浄性界面活性剤を含む。好ましくは、第２界面活性剤成分は、アルコキシル化アニオン性洗浄性界面活性剤を本質的に含まない。アルコキシル化アニオン性洗浄性界面活性剤を本質的に含まないとは、第２界面活性剤成分が、通常、故意に添加されたアルコキシル化アニオン性洗浄性界面活性剤を含まないことを意味する。好ましくは、第２界面活性剤成分は、カチオン性洗浄性界面活性剤を本質的に含まない。カチオン性洗浄性界面活性剤を本質的に含まないとは、第２界面活性剤成分が、通常、故意に添加されたカチオン性洗浄性界面活性剤を含まないことを意味する。このことは、組成物が良好な分配及び溶解特性を有することを確実にするため、並びに組成物が、水に溶解されたときに透明な洗浄溶液を提供することをも確実にするために、特に好ましい。
【００９１】
第２界面活性剤成分は、噴霧乾燥された粉末、気流乾燥された粉末、粒塊、又は押出品の形態であってよい。第２界面活性剤成分が凝集粒子の形態であれば、好ましくは、粒子は、粒子の５重量％〜５０重量％の非アルコキシル化アニオン性洗浄性界面活性剤、又は５重量％〜２５重量％の非アルコキシル化アニオン性洗浄性界面活性剤を含む。第２界面活性剤成分は、固体キャリア材料との共同粒子混合体の形態であってよい。固体キャリア材料は、硫酸塩及び／又は炭酸塩、好ましくは硫酸ナトリウム及び／又は炭酸ナトリウムであり得る。
【００９２】
本発明の洗剤組成物は、カチオン性界面活性剤を実質的に含まなくてもよいが、存在する場合は、カチオン性界面活性剤は、第３の界面活性剤構成成分内に存在してもよいし、又は噴霧乾燥粒子内に少なくともいくらかのアニオン性界面活性剤と共に組み込まれてもよい。第３構成成分内に存在する場合、カチオン性洗浄性界面活性剤を主として含む第３界面活性剤構成成分を有することが有利である場合がある。主に含むとは、第３界面活性剤成分が第３界面活性剤成分の５０重量％を超えるカチオン性洗浄性界面活性剤を含み、好ましくは第３界面活性剤成分の６０重量％を超える、又は７０重量％を超える、又は８０重量％を超える、又は９０重量％を超える、又は更に本質的に１００重量％のカチオン性洗浄性界面活性剤を含むことを意味する。好ましくは、第３界面活性剤成分は、第３界面活性剤成分の１０重量％未満のアルコキシル化アニオン性洗浄性界面活性剤を含み、好ましくは第３界面活性剤成分の５重量％未満、又は２重量％未満、又は更に本質的に０重量％のアルコキシル化アニオン性洗浄性界面活性剤を含む。好ましくは、第３界面活性剤成分は、第３界面活性剤成分の１０重量％未満の非アルコキシル化アニオン性洗浄性界面活性剤を含み、好ましくは第３界面活性剤成分の５重量％未満、又は２重量％未満、又は更に０重量％の非アルコキシル化アニオン性洗浄性界面活性剤を含む。好ましくは、第３界面活性剤成分は、アルコキシル化アニオン性洗浄性界面活性剤を本質的に含まない。アルコキシル化アニオン性洗浄性界面活性剤を本質的に含まないとは、第３界面活性剤成分が、通常、故意に添加されたアルコキシル化アニオン性洗浄性界面活性剤を含まないことを意味する。好ましくは、第３界面活性剤成分は、非アルコキシル化アニオン性洗浄性界面活性剤を本質的に含まない。非アルコキシル化アニオン性洗浄性界面活性剤を本質的に含まないとは、第３界面活性剤成分が、通常、故意に添加された非アルコキシル化アニオン性洗浄性界面活性剤を含まないことを意味する。このことは、組成物が良好な分配及び溶解特性を有することを確実にするため、並びに組成物が、水に溶解されたときに透明な洗浄溶液を提供することをも確実にするために、特に好ましい。
【００９３】
第３界面活性剤成分は、好ましくは噴霧乾燥された粉末、気流乾燥された粉末、粒塊、又は押出品の形態である。第３界面活性剤成分が凝集粒子の形態であれば、好ましくは、粒子は、粒子の５重量％〜５０重量％のカチオン性洗浄性界面活性剤、又は５重量％〜２５重量％のカチオン性洗浄性界面活性剤を含む。第３界面活性剤成分は、固体キャリア材料との共同粒子混合体の形態であってよい。固体キャリア材料は、硫酸塩及び／又は炭酸塩、好ましくは硫酸ナトリウム及び／又は炭酸ナトリウムであり得る。
【００９４】
任意の洗浄性補助剤
任意に、洗剤成分は、洗浄性能、洗浄されるべき基材の処理を補助若しくは向上させる、又は洗剤組成物の審美性を改善するために、１以上の他の洗浄性補助剤若しくはその他の材料を包含することができる。洗剤組成物の通常の洗浄性補助剤としては、米国特許第３，９３６，５３７号（バスカービレ（Baskerville）ら）及び英国特許出願９７０５６１７．０（トリン（Trinh）ら、１９９７年９月２４日公開）に記載される成分が挙げられる。このような補助剤は、洗剤組成物中に慣用的な業界確立使用レベルで、通常洗剤成分の０〜約８０重量％、好ましくは約０．５重量％〜約２０重量％で含有され、色スペックル、泡促進剤、泡抑制剤、曇り防止剤及び／又は腐食防止剤、汚れ懸濁剤、汚れ遊離剤、染料、フィラー、蛍光増白剤、殺菌剤、アルカリ性供給源、屈水性誘発物質、酸化防止剤、酵素、酵素安定剤、溶媒、溶解剤、キレート剤、土汚れ除去／再付着防止剤、ポリマー分散剤、加工助剤、布地柔軟化成分、静電気抑制剤、漂白剤、漂白活性化剤、漂白安定化剤、移染防止剤、凝集剤、布地柔軟剤、泡抑制剤、布地保全剤、香料、増白剤、光漂白剤、アルカリ金属サルフェート、スルファミン酸、硫酸ナトリウム及びスルファミン酸複合体等、並びにこれらの組み合わせが挙げられる。これら付加的な構成成分の厳密な性質及びそれらの組み込み濃度は、組成物又は構成成分の物理的形態、並びにそれが使用される洗浄操作の厳密な性質に依存する。
【００９５】
好ましい双極性界面活性剤は、１つ以上の四級化窒素原子と、カーボネート、ホスフェート、サルフェート、スルホネート、及びこれらの組み合わせから成る群から選択される１つ以上の部分とを含む。好ましい双極性界面活性剤は、アルキルベタイン類である。他の好ましい双極性界面活性剤は、アルキルアミンオキシド類である。また、カチオン性界面活性剤及びアニオン性界面活性剤を含む複合物であるカタニオニック界面活性剤も含まれてよい。典型的には、複合物中のカチオン性界面活性剤のアニオン性界面活性剤に対するモル比は１：１より大きいので、複合物は、結果的に正味の正電荷を有する。
【００９６】
好ましい補助構成成分の１つは、漂白剤である。好ましくは、洗剤組成物は、１つ以上の漂白剤を含む。典型的には、組成物は、（組成物の）１重量％〜５０重量％の１つ以上の漂白剤を含む。好ましい漂白剤は、過酸化物源、過酸源、漂白促進剤、漂白触媒、光漂白剤、及びこれらの組み合わせから成る群から選択される。好ましい過酸化物源は、過ホウ酸塩一水和物、過ホウ酸塩四水和物、過炭酸塩、これらの塩、及びこれらの組み合わせから成る群から選択される。好ましい過酸源は、過ホウ酸塩又は過炭酸塩などの過酸化物源を典型的に伴う漂白活性化剤、事前に形成された過酸類、及びこれらの組み合わせから成る群から選択される。好ましい漂白活性化剤は、オキシベンゼンスルホネート漂白活性化剤、ラクタム漂白活性化剤、イミド漂白活性化剤、及びこれらの組み合わせから成る群から選択される。好ましい過酸源は、テトラアセチルエチレンジアミン（ＴＡＥＤ）、及び過炭酸塩のような過酸化物源である。好ましいオキシベンゼンスルホネート漂白活性化剤は、ノナノイルオキシベンゼンスルホネート（nonanoyl-oxy-benzene-sulponate）、６−ノナミドカプロイルオキシベンゼンスルホネート、これらの塩、及びこれらの組み合わせから成る群から選択される。好ましいラクタム漂白活性化剤は、アシルカプロラクタム類及び／又はアシルバレロラクタム類である。好ましいイミド漂白活性化剤は、Ｎ−ノナノイル−Ｎ−メチルアセトアミドである。
【００９７】
事前に形成された好ましい過酸類は、Ｎ，Ｎ−フタロイル−アミノペルオキシカプロン酸（N,N-pthaloyl-amino-peroxycaproic acid）、ノニルアミドペルオキシアジピン酸、これらの塩、及びこれらの組み合わせから成る群から選択される。好ましくは、ＳＴＷ組成物は、１つ以上の過酸化物源と１つ以上の過酸源とを含む。好ましい漂白触媒は、１つ以上の遷移金属イオンを含む。他の好ましい漂白剤は、ジアシルペルオキシド類である。好ましい漂白促進剤は、双極性イミン類、アニオン性イミンポリイオン類、四級オキサジリジニウム（oxaziridinium）塩、及びこれらの組み合わせから成る群より選択される。極めて好ましい漂白促進剤は、アリールイミニウム双極性イオン類、アリールイミニウムポリイオン類、及びこれらの組み合わせから成る群より選択される。好適な漂白促進剤は、米国特許第３６０５６８号、同第５３６０５６９号及び同第５３７０８２６号に記載されている。
【００９８】
好ましい補助構成成分の１つは、再付着防止剤である。好ましくは、洗剤組成物は、１つ以上の再付着防止剤を含む。好ましい再付着防止剤は、セルロース系ポリマー構成成分であり、最も好ましくはカルボキシメチルセルロース類である。
【００９９】
好ましい補助構成成分の１つは、キレート剤である。好ましくは、洗剤組成物は、１つ以上のキレート剤を含む。好ましくは、洗剤組成物は、（組成物の重量で）０．０１％〜１０％、又は０．０１〜５重量％、又は４重量％、又は２重量％のキレート剤を含む。好ましいキレート剤は、ヒドロキシエタンジメチレンホスホン酸、エチレンジアミンテトラ（メチレンホスホン）酸、ジエチレントリアミン五酢酸、エチレンジアミン四酢酸、ジエチレントリアミンペンタ（メチルホスホン）酸、エチレンジアミン二コハク酸、及びこれらの組み合わせから成る群より選択される。
【０１００】
好ましい補助構成成分の１つは、移染防止剤である。好ましくは、洗剤組成物は、１つ以上の移染防止剤を含む。典型的には、移染防止剤は、染料分子を捕捉し、染料分子を洗浄液に懸濁させることによって染料分子を保持する、ポリマー構成成分である。好ましい移染防止剤は、ポリビニルピロリドン類、ポリビニルピリジンＮ−酸化物類、ポリビニルピロリドン−ポリビニルイミダゾールコポリマー類、及びこれらの組み合わせから成る群から選択される。
【０１０１】
好ましい補助構成成分には他の酵素が挙げられる。好ましくは、洗剤組成物は、１以上の追加の酵素を含む。好ましい酵素は、アミラーゼ類、アラビノシダーゼ類、カルボヒドラーゼ類、セルラーゼ類、コンドロイチナーゼ類、クチナーゼ類、デキストラナーゼ類、エステラーゼ類、β−グルカナーゼ類、グルコ−アミラーゼ類、ヒアルロニダーゼ類、ケラタナーゼ類、ラッカーゼ類、リグニナーゼ類、リポキシゲナーゼ類、マラナーゼ類、マンナナーゼ類、オキシダーゼ類、ペクチナーゼ類、ペントサナーゼ類、ペルオキシダーゼ類、フェノールオキシダーゼ類、ホスホリパーゼ類、プロテアーゼ類、プルラナーゼ類、レダクターゼ類、タンナーゼ類、トランスフェラーゼ類、キシラナーゼ類、キシログルカナーゼ類、及びこれらの組み合わせから成る群から選択される。好ましい追加酵素は、アミラーゼ類、カルボヒドラーゼ類、セルラーゼ類、プロテアーゼ類、及びこれらの組み合わせから成る群から選択される。
【０１０２】
好ましい補助構成成分の１つは、布地保全剤（fabric integrity agent）である。好ましくは、洗剤組成物は、１つ以上の布地保全剤を含む。典型的には、布地保全剤は、洗濯プロセス中に布地表面に付着して布地の損傷を防ぐポリマー構成成分である。好ましい布地保全剤は、疎水変性セルロース類である。これら疎水変性セルロース類は、布地の磨耗を低減し、繊維間の相互作用を向上させて、布地の色落ちを軽減する。好ましい疎水変性セルロースは、ＰＣＴ国際公開特許ＷＯ９９／１４２４５号に記載されている。他の好ましい布地保全剤は、イミダゾールとエピクロロヒドリンとを縮合させる工程を含むプロセスによって得ることが可能である、好ましくは得られる、ポリマー構成成分及び／又はオリゴマー構成成分である。
【０１０３】
好ましい補助構成成分の１つは、塩である。好ましくは、洗剤組成物は、１つ以上の塩類を含む。塩類は、アルカリ性剤、緩衝液、ビルダー、補助ビルダー（co-builder）、湯あか（encrustation）阻害物質、充填剤、ｐＨ調整剤、安定剤、及びこれらの組み合わせとして作用することができる。典型的には、洗剤組成物は、（組成物の）５重量％〜６０重量％の塩を含む。好ましい塩類は、アルミン酸アルカリ金属塩、炭酸アルカリ金属塩、塩化アルカリ金属塩、重炭酸アルカリ金属塩、硝酸アルカリ金属塩、リン酸アルカリ金属塩、ケイ酸アルカリ金属塩、硫酸アルカリ金属塩、及びこれらの組み合わせである。他の好ましい塩類は、アルミン酸アルカリ土類金属塩、炭酸アルカリ土類金属塩、塩化アルカリ土類金属塩、重炭酸アルカリ土類金属塩、硝酸アルカリ土類金属塩、リン酸アルカリ土類金属塩、ケイ酸アルカリ土類金属塩、硫酸アルカリ土類金属塩、及びこれらの組み合わせである。特に好ましい塩類は、硫酸ナトリウム、炭酸ナトリウム、重炭酸ナトリウム、ケイ酸ナトリウム、硫酸ナトリウム、及びこれらの組み合わせである。任意に、アルカリ金属塩及び／又はアルカリ土類金属塩類は、無水物であってもよい。
【０１０４】
好ましい補助構成成分の１つは、汚れ放出剤である。好ましくは、洗剤組成物は、１つ以上の汚れ放出剤を含む。典型的には、汚れ放出剤は、布地表面を変性させて布地に汚れが再付着するのを防ぐポリマー化合物である。好ましい汚れ放出剤は、１つ以上のテレフタレート単位を含むコポリマー類、好ましくはブロックコポリマー類である。好ましい汚れ放出剤は、ジメチルテレフタレート、１，２−プロピルグリコール、及びメチル末端保護された（methyl capped）ポリエチレングリコールから合成されるコポリマー類である。他の好ましい汚れ放出剤は、アニオンで末端保護された（anionically end capped）ポリエステル類である。
【０１０５】
柔軟化システム
本発明の洗剤組成物は、粘土のような、洗浄を通じて柔軟化させる柔軟化剤を含んでもよく、所望により凝集剤及び酵素も共に含んでよい。
【０１０６】
好適な洗剤構成成分についての更なる明確な記述は、ＰＣＴ国際公開特許ＷＯ９７／１１１５１に見ることができる。
【０１０７】
洗浄方法
本発明は、繊維材料を本発明の洗剤組成物を含む水溶液と接触させることを含む、繊維材料の洗浄方法も含む。本発明は、低い水温、例えば３０℃未満又は２５℃若しくは２０℃未満のような低い水温にて特に有益な場合がある。通常、水性洗浄液は、少なくとも１００ｐｐｍ、又は少なくとも５００ｐｐｍの洗剤組成物を含む。
【実施例】
【０１０８】
以下は、本発明の実施例である。
【表２−１】
2008530265.tif 000004
【表２−２】
2008530265.tif 000005
【配列表】
2008530265000001.xml
【国際調査報告】
2008530265.tif 000008
2008530265.tif 000009
2008530265.tif 000010